(57)【要約】  本発明は、工業用ファブリック及びその使用に関する。工業用ファブリック（１）は、数本の縦方向（ＭＤ）ヤーン（２，２ａ，２ｂ）及び数本の横方向（ＣＭＤ）ヤーン（３）から成る。ＭＤ‐ヤーンは、これらの長手方向軸線に対して撚られ、これら撚りヤーンは、少なくともテキスタイルのウェブ側表面（Ｐ）上に傾斜面（４）を有する。テキスタイルは、抄紙機、パルプマシン又は濾過機械に使用できる。
2019504937.tif 000002
【特許請求の範囲】
【請求項１】
処理機械において繊維ウェブを支持する工業用テキスタイルであって、前記テキスタイル（１）は、
前記工業用テキスタイルの使用中に処理されるべき前記繊維ウェブの方へ向いているウェブ側表面（Ｐ）を有し、
前記使用中、前記処理機械の方へ向いているロール側表面（Ｒ）を有し、
数本の縦方向（ＭＤ）ヤーン（２）を有し、前記機械方向ヤーン（２）のうちの少なくとも何本かは、扁平な断面を有し、
数本の横方向（ＣＭＤ）ヤーン（３）を有する、工業用テキスタイルにおいて、
前記テキスタイル（１）は、織布であり、前記テキスタイル（１）は、数本の縦方向ヤーン（２，２ａ，２ｂ）を有し、
前記縦方向ヤーン（２，２ａ，２ｂ）は、これらの長手方向軸線に対して撚られており、
前記撚られた状態の扁平な縦方向ヤーン（２，２ａ，２ｂ）は、少なくとも前記ウェブ側表面（Ｐ）上に傾斜した表面（４）として露出している、テキスタイル。
【請求項２】
前記縦方向ヤーン（２）の全ては、撚られている、請求項１記載のテキスタイル。
【請求項３】
前記撚られた状態の扁平な縦方向ヤーン（２）で形成された前記傾斜面（４）の各々は、前記ウェブ側表面（Ｐ）から見たときに少なくとも前記テキスタイル（１）の前記ウェブ側表面（Ｐ）のところに切頭円錐形のセグメント（６）の外面の形を有する部分として現れる、請求項１又は２記載のテキスタイル。
【請求項４】
前記テキスタイル（１）は、数本の隣り合う第１の縦方向ヤーン（２ａ）と第２の縦方向ヤーン（２ｂ）を有し、前記ヤーン（２ａ，２ｂ）は、互いに逆の横方向（ＣＭＤ）の方へ撚られ、前記ウェブ側表面（Ｐ）上の前記扁平な第１の縦方向ヤーン（２ａ）の第１の表面（４）は、前記テキスタイル（１）の第１の長手方向縁に向かって傾けられ、前記扁平な第２の縦方向ヤーン（２ｂ）の第２の表面（４）は、前記テキスタイル（１）の反対側の第２の長手方向縁に向かって傾けられている、請求項１〜３のうちいずれか一に記載のテキスタイル。
【請求項５】
少なくとも前記テキスタイル（１）の前記ウェブ側表面（Ｐ）は、前記横方向（ＣＭＤ）に溝（５）を有し、前記溝（５）は、前記横方向ヤーン（３）のところで露出している前記撚られた状態の扁平な縦方向ヤーン（２ａ，２ｂ）で形成された隣り合う傾斜面（４）相互間に位置している、請求項１〜４のうちいずれか一に記載のテキスタイル。
【請求項６】
前記テキスタイル（１）は、織布であり、前記テキスタイル（１）は、前記テキスタイル（１）が単一の層をなしているに過ぎない横方向ヤーン（３）を有するよう単一層構造を有し、
前記縦方向ヤーン（２，２ａ，２ｂ）は、ツーシェッド（two-shed）織り構造を有する、請求項１〜５のうちいずれか一に記載のテキスタイル。
【請求項７】
前記テキスタイル（１）は、抄紙機のドライヤ区分のためのドライヤファブリックである、請求項１〜６のうちいずれか一に記載のテキスタイル。
【請求項８】
前記テキスタイル（１）は、パルプマシン用のパルプ支持ファブリックである、請求項１〜６のうちいずれか一に記載のテキスタイル。
【請求項９】
工業用テキスタイルの使用であって、
請求項１〜８のうちいずれか一に記載のテキスタイル（１）は、抄紙機、パルプマシン又は濾過機械に用いられ、
高圧流体スプレーが前記テキスタイル構造を洗浄するために前記テキスタイル（１）の前記ウェブ側表面（Ｐ）に差し向けられ、前記撚り状態の縦方向ヤーン（２，２ａ，２ｂ）に当たった流体スプレーは、更に、前記傾斜面（４）から前記テキスタイル（１）の前記構造体中へ差し向けられる、使用。
【発明の詳細な説明】
【技術分野】
【０００１】
本発明は、処理機械において繊維ウェブを支持するようになった工業用テキスタイルに関する。工業用テキスタイルは、数本の縦方向ヤーン及び数本の横方向ヤーンから成る。
【０００２】
本発明はまた、工業用テキスタイルの使用に関する。
【０００３】
本発明の分野は、特に、独立形式の請求項の前提部に記載されている。
【背景技術】
【０００４】
工業用テキスタイルは、ウェブ処理機械で用いられる。使用中、汚れや繊維が工業用テキスタイルの表面上に付着する場合があり、それにより工業用テキスタイルの特性が低下する。かくして、工業用テキスタイルは、定期的に又は連続的に洗浄される必要がある。しかしながら、公知の工業用テキスタイルの表面及び構造体の清浄化は、幾つかの問題をはらんでいることが分かっている。
【発明の概要】
【発明が解決しようとする課題】
【０００５】
本発明の目的は、新規かつ改良型の工業用テキスタイル及びその使用を提供することにある。
【課題を解決するための手段】
【０００６】
本発明の工業用テキスタイルは、第１の独立形式の装置クレームの特徴記載部分の特徴によって特徴付けられる。
【０００７】
本発明の使用は、第２の独立形式の装置クレームの特徴記載部分の特徴によって特徴付けられる。
【０００８】
開示された解決策の技術的思想は、工業用テキスタイルが数本の縦方向ヤーンを有し、これら縦方向ヤーンがこれらの長手方向軸線に対して撚られていることを特徴とする。撚られた状態の扁平な縦方向ヤーンは、少なくともウェブ側表面上に傾斜した表面として露出する。
【０００９】
開示する解決策の利点は、テキスタイルの洗浄が向上することにより、その理由は、撚り状態の縦方向ヤーンに当たる流体スプレーが更にテキスタイルの傾斜面からテキスタイルの構造中に差し向けられるからである。テキスタイルのウェブ側表面は、流体スプレーの方向に垂直な表面を備えておらず、その代わりに、流体スプレーをテキスタイル中に効果的に差し向ける傾斜面を有する。また、この構造により、傾斜した状態の縦方向ヤーンは、横方向ヤーンに対して動くことができ、それにより汚れが機械的にほぐされる。開示する解決策はまた、本願において後で開示するように、流体スプレー切断実施形態で利用されたときに利益を有することができる。
【００１０】
傾斜は、テキスタイルに過剰の本数のＭＤ‐ヤーンを提供することによって達成でき、ＭＤ‐ヤーンは、ＣＭＤ‐方向に十分な空間を有しておらず、それゆえに、ＭＤ‐ヤーンは、傾斜するよう強いられる。この作用効果は、余剰のヤーンを構造体に含ませることによって意図的に達成される。代替的に又は追加的に、テキスタイルは、ＣＭＤ‐方向に縮められる場合があり、それにより平坦なＭＤ‐ヤーンには横方向空間がなくなり、すると、ＭＤ‐ヤーンが傾斜する。
【００１１】
一実施形態によれば、テキスタイルの縦方向ヤーンの全てが撚られる。
【００１２】
一実施形態によれば、横方向に見て撚り状態の扁平な縦方向ヤーンを備えた少なくとも１つの区分を有する。かくして、一方又は両方の横方向縁部分に撚り状態のＭＤ‐ヤーンを提供し又は変形例として中央横方向部分に撚り状態のヤーンを提供することが可能である。
【００１３】
一実施形態によれば、撚られた状態の扁平な縦方向ヤーンで形成された傾斜面の各々は、ウェブ側表面から見たときに少なくともテキスタイルのウェブ側表面のところに切頭円錐形のセグメントの外面の形を有する部分として現れる。
【００１４】
一実施形態によれば、テキスタイルは、数本の隣り合う第１の縦方向ヤーンと第２の縦方向ヤーンを有し、ヤーンは、互いに逆の横方向の方へ撚られる。次にウェブ側表面上の扁平な第１の縦方向ヤーンの第１の表面は、テキスタイルの第１の長手方向縁に向かって傾けられ、扁平な第２の縦方向ヤーンの第２の表面は、テキスタイルの反対側の第２の長手方向縁に向かって傾けられている。
【００１５】
一実施形態によれば、隣り合う横方向ヤーンを比較すると、隣り合う撚り状態の扁平な縦方向ヤーンは、互いに逆の方向に撚られている。すると、隣り合うＭＤ‐ヤーンは、テキスタイルのウェブ側表面上に傾斜面を露出させ、かかる傾斜面は、横方向に見て互いに逆の方向に向かって傾けられている。
【００１６】
一実施形態によれば、隣り合う横方向ヤーンを比較すると、隣り合う撚り状態の扁平な縦方向ヤーンは、同一方向に撚られる。すると、隣り合うＭＤ‐ヤーンは、テキスタイルのウェブ側表面上に傾斜面を露出させ、かかる傾斜面は、横方向に見て同一方向に向かって傾けられている。
【００１７】
一実施形態によれば、少なくともテキスタイルのウェブ側表面は、横方向に数本の溝を有する。これらの溝は、横方向ヤーンのところで露出している撚られた状態の扁平な縦方向ヤーンで形成された隣り合う傾斜面相互間に位置する。横方向溝は、ウェブ側表面に方向性のある開放空間を提供し、それにより、洗浄液が溝内を流れることができる。それにより、テキスタイル中への洗浄液の浸入度を増大させることができる。溝はまた、空気乾燥装置の作用効果を向上させ、テキスタイルのより効率的な乾燥を洗浄作業後に達成することができる。これらの溝は、テキスタイルの縁から縁へ横方向に延びても良く、又はこれらの溝は、短い長さを有しても良い。しかしながら、溝の長さは、好ましくは、少なくとも洗浄装置の吹き付けユニットの幅又は空気乾燥装置のブロワユニットの幅に一致すべきである。
【００１８】
一実施形態によれば、テキスタイルは、織布である。
【００１９】
一実施形態によれば、テキスタイルは、巻き構造体である。
【００２０】
一実施形態によれば、テキスタイルは、織布であり、テキスタイルは、テキスタイルが単一の層をなしているに過ぎない横方向ヤーンを有するよう単一層構造を有する。さらに、縦方向ヤーンは、ツーシェッド（two-shed）織り構造を有する。
【００２１】
一実施形態によれば、工業用テキスタイルは、抄紙機のドライヤ区分のためのドライヤファブリックである。
【００２２】
一実施形態によれば、工業用テキスタイルは、抄紙機のフォーミング区分用のフォーミングファブリックである。
【００２３】
一実施形態によれば、工業用テキスタイルは、濾過装置用のフィルタファブリック又は濾過材である。濾過機械は、ベルト型フィルタであるのが良く、ベルト型濾過材は、本願に開示するように数本の撚り縦方向ヤーンから成る。
【００２４】
一実施形態によれば、工業用テキスタイルは、パルプマシン用のパルプ支持ファブリック又はテキスタイルである。
【００２５】
一実施形態によれば、工業用テキスタイルは、パルプマシン用のパルプ支持ファブリック又はテキスタイルであり、支持ファブリックは、支持ファブリック上に支持された繊維ウェブの表面への印付けを意図的に生じさせるよう構成されている。かくして、支持ファブリックは、摩擦を増大させるために繊維ウェブの底面に対して付与されるトポロジーを生じさせることができる。摩擦の増大には、走行性を向上させるとともに支持ファブリックの制御性を高めることができる。
【００２６】
一実施形態によれば、テキスタイルは、対称の構造を有する。
【００２７】
一実施形態によれば、テキスタイルのウェブ側表面とロール側表面は、同一であり、これら表面は、同一の表面特性を有する。
【００２８】
一実施形態によれば、テキスタイルは、多くの接触点を有するとともに極めて小さい表面接触領域を有する。同一テキスタイル中におけるこれら２つの特徴の組み合わせにより、このテキスタイルは、独特のものとなっている。テキスタイルは、１平方センチメートル当たり少なくとも６０個の接触点、好ましくは１平方センチメートル当たり少なくとも６４個の接触点を有する。多数の接触点は、熱伝達を向上させるとともに印付けを回避し、というのは、ウェブは、良好に支持されているからである。注目されたこととして、小さい表面接触面積を有するテキスタイルは、洗浄するのが容易である。したがって、テキスタイルの表面接触面積は、１０〜２０％であるのが良い。さらに、テキスタイルのウェブ側表面は、表面接触面積が初期値から増大するよう処理され又は仕上げられるのが良い。ウェブ側表面は、例えば研磨され又はプレス加工されるのが良い。かかる処理は、接触点の数に影響を及ぼさない。
【００２９】
一実施形態によれば、テキスタイルは、多数の接触点を有するとともに比較的大きな表面接触面積を有する。この種のテキスタイルは、従来方式で特別な用途に使用可能である。この実施形態では、多数の接触点は、上述の実施形態に開示されているものであるのが良く、テキスタイルの表面接触面積は、５０％以上であるのが良い。
【００３０】
一実施形態によれば、テキスタイルの厚さは、１．４ｍｍ未満、好ましくは１．３ｍｍ未満である。工業用テキスタイルの有効キャリパが小さい場合、テキスタイルの洗浄及び乾燥は、容易である。
【００３１】
一実施形態によれば、縦方向ヤーンは、モノフィラメントヤーンである。さらに、縦方向ヤーンの断面は、長方形又は実質的に長方形であるのが良い。縦方向ヤーンの幅は、０．６ｍｍ以上であるのが良く、その高さは、０．４ｍｍ以下であるのが良い。
【００３２】
一実施形態によれば、横方向ヤーンの断面は、丸形である。丸形ＣＭＤ‐ヤーンは、テキスタイル内の洗浄流体の流れが丸形ヤーンの湾曲した表面によって効果的に差し向けられるので、有利である。それにより、丸形ヤーンは、テキスタイルの洗浄に対して積極的な影響を及ぼすことができる。さらに、丸形ＣＭＤ‐ヤーンにより、扁平なＭＤ‐ヤーンは、ＣＭＤ‐ヤーンに対して僅かに動くことができ、それにより機械的な汚れ除去もまた起こることが可能である。
【００３３】
一実施形態によれば、隣り合う横方向ヤーンの寸法は、互いに実質的にほぼ同じである。
【００３４】
一実施形態によれば、隣り合う横方向ヤーンの寸法は、互いに異なる。このように、テキスタイルのウェブ側表面は、比較的粗い構造を有するのが良い。粗い表面は、自由空所を有する場合があり、それによりテキスタイルの洗浄が容易である。
【００３５】
一実施形態によれば、横方向ヤーンは、強度に縮むヤーンであり、それにより、テキスタイルの表面処理は、テキスタイルの横方向収縮を生じさせるよう構成され、その結果、隣り合う縦方向ヤーンは、互いに対して密接して動かされるようになる。収縮は、ＭＤ‐ヤーンの撚りを生じさせることができる。
【００３６】
一実施形態によれば、縦方向ヤーン密度は、２２０〜２３０・１／１０ｃｍである。さらに、ワープ（warp）カバーは、１８０％にも及ぶのが良く、これは、少なくともテキスタイルの単一の層については極めて高い値である。テキスタイルは、たった１つの単一層を有するのが良いが、研究例として、テキスタイルは、撚りＭＤ‐ヤーンが巻き付けられた支持基部を有しても良い。
【００３７】
一実施形態によれば、横方向ヤーン密度は、６０・１／１０ｃｍである。
【００３８】
一実施形態によれば、上記において開示した工業用テキスタイルは、テキスタイル上に支持されたウェブの１つ又は２つ以上の縁部分を切断するための少なくとも１つの水又は流体切断装置を有する処理機械で利用されるのが良い。テキスタイルは、上記において開示した原理に従って撚りＭＤ‐ヤーンを含む。少なくとも高い切断流体スプレーを受ける縁部分のところには、撚りＭＤ‐ヤーンが設けられ、又は変形例として、ＭＤ‐ヤーンの全てが撚られても良い。撚りＭＤ‐ヤーンは、切断スプレーの方へ向いた傾斜面を有するので、撚りヤーンは、高い流体スプレーのために分割されることはなく又は違ったやり方で損傷を受けることはない。さらに、切断水は、ウェブ中に浸透された後、傾斜ヤーン及び十分な数の開いた空所を有する支持テキスタイル中に流動中に差し向けられる。したがって、切断水は、跳ねかけられることはない。この実施形態により、スプレー切断は、効果的に実施でき、切断縁は、良好な品質を有する。
【００３９】
必要な特徴を備えた適当な解決策を得るために上記において開示した実施形態を組み合わせることができる。
【００４０】
添付の図面には幾つかの実施形態が詳細に記載されている。
【図面の簡単な説明】
【００４１】
【図１】シームを備え、それにより無端ループの形状を有する工業用テキスタイルの概略斜視図である。
【図２】工業用テキスタイルの幾つかの特徴を提供する略図である。
【図３】工業用テキスタイルのウェブ側表面の略図である。
【図４】縦方向に見た工業用テキスタイルの概略断面図である。
【図５】工業用テキスタイルの２本の隣り合う縦方向ヤーンを示す概略平面図である。
【図６】工業用テキスタイルの縦方向ヤーンの概略側面図である。
【図７】１枚の工業用テキスタイルのウェブ側表面の表面トポグラフィの概略平面図である。
【図８】別の１枚の工業用テキスタイルのウェブ側表面の表面トポグラフィの概略平面図である。
【発明を実施するための形態】
【００４２】
分かりやすくするために、図は、開示する解決策である幾つかの実施形態を概略的に示している。図中、同一の参照符号は、同一の要素を示している。
【００４３】
図１は、実現可能な工業用テキスタイル１の幾つかの基本的な特徴を示している。工業用テキスタイル１は、縦方向ヤーン２及び横方向ヤーン３から成る織り構造体であるのが良く、これらヤーン２，３は互いに交差している。工業用テキスタイルは、平織りされたファブリックであるのが良く、そのシームの端部ＳＥ１，ＳＥ２は、ウェブ処理機械上に取り付けられたときにシームＳを形成するために互いに連結されるのが良い。工業用テキスタイル１は、縦方向ＭＤに延びるよう構成されている。工業用テキスタイル１は、ウェブ側表面Ｐを有し、処理されるべきウェブは、このウェブ側表面Ｐに当てて処理機械上に配置される。反対側の面は、ロール側表面であり、このロール側表面は、処理機械のロール及び他の機械要素に当てられる。
【００４４】
図２は、工業用テキスタイルが織成によって形成されるのが良いことを示す略図であり、あるいは、変形例として、工業用テキスタイルは、不織技術、例えば巻回を利用することによって形成されても良い。図２はまた、工業用テキスタイルが種々のウェブ処理機械、例えば抄紙機、濾過機械及びパルプマシンで使用されることを示している。
【００４５】
図３は、工業用テキスタイル１のウェブ側表面Ｐを示している。テキスタイル１は、数本の扁平な縦方向ヤーン２及び数本の横方向ヤーン３から成る。縦方向ヤーン２の断面は、実質的に長方形であるのが良く、横方向ヤーン３の断面は、丸形であるのが良い。縦方向ヤーン２は、これらの長手方向軸線に対して撚られ、それにより、これら縦方向ヤーンは、ウェブ側表面Ｐ上に傾斜面４として露出している。注目できるように、隣り合う第１のＭＤ‐ヤーン２ａと第２のＭＤ‐ヤーン２ｂは、互いに逆の横方向に向かって撚られている。それにより、ウェブ側表面は、扁平な第１の縦方向ヤーン２ａの傾斜した第１の表面及び扁平な第２の縦方向ヤーン２ｂの傾斜した第２の表面を有する。互いに逆方向に差し向けられた傾斜面４相互間には、横方向溝５が設けられ、これらの溝５は、破線で図３に示されている。
【００４６】
ＣＭＤ‐ヤーンの全ては、ほぼ同じヤーンであるのが良く、しかも同一の断面積を有するのが良い。変形例として、互いに異なる断面積及び／又は互いに異なる断面形状を有する２種類のＣＭＤ‐ヤーンを用いることが可能であり、その目的は、テキスタイル１の表面に更に一層開いた構造を提供することにある。図３には、破線３ａによって、太いＣＭＤ‐ヤーンが示され、かかる太いＣＭＤ‐ヤーンは、細いＣＭＤ‐ヤーン３と交互に位置している。変形例として、丸形断面を有するＣＭＤ‐ヤーンと扁平な断面を有するＣＭＤ‐ヤーンが表面上の自由空所を増加させるためにテキスタイル構造中に交互に位置しても良い。
【００４７】
さらに、上記において開示した課題がＭＤ‐ヤーンにも適応されても良く、それにより、扁平なＭＤ‐ヤーンの断面積及び／又は断面形状は、テキスタイルの開放表面を増加させるために様々であるのが良い。かくして、隣り合う扁平でありかつ撚られたＭＤ‐ヤーンの寸法は、特定の場合に互いに異なっていても良くかつ断面形状は様々であって良い。
【００４８】
図３は、工業用テキスタイルが織成パターンを有するのが良いことを更に開示しており、ＭＤ‐ヤーン２は、１本のＣＭＤ‐ヤーン３の上方を通り、１本の隣接のＣＭＤ‐ヤーンの下を通り、そしてこのツーシェッド（two-shed）又は平織りパターンを更に繰り返す。このように、開示した工業用テキスタイル１は、対称の一層構造を有するのが良く、この場合、撚りＭＤ‐ヤーン２は、テキスタイルの両方の表面上に傾斜面４として露出する。それにより、ロール側表面Ｒもまた、横方向溝５を有するのが良い。両方の表面が溝を備える場合、テキスタイル構造体を通る洗浄液の流れを増大させることができ、洗浄結果が向上する。
【００４９】
図４は、工業用ファブリックがウェブ側表面Ｐ上に並びにロール側表面Ｒ上に傾斜表面４を有することを示している。縦方向ヤーン２は、図４で明確に理解できるようにこれらの長手方向軸線に対して撚られている。この構造体は、第１のＭＤ‐ヤーン２ａ及び撚り状態の第２のＭＤ‐ヤーン２ｂを含み、これらのヤーンの撚り方向は、互いに逆である。かくして、ＭＤ‐ヤーン２ａ，２ｂの別々の傾斜面４は、テキスタイル１のＰ，Ｒ上で交互に位置する。洗浄液流れ又はフラッシング流れＦＦが高圧でテキスタイルのウェブ側表面に当てられる場合、この流れは、ＭＤ‐ヤーン２ａ，２ｂの傾斜面４からテキスタイルの内側構造体の方へ差し向けられ、そしてかかる流れは、表面Ｐから遠ざかってランダムには跳ねかけられない。液体洗浄段階後、ドライヤ空気流をウェブ側表面Ｐに当てることによってテキスタイルを乾燥させるのが良い。傾斜面４もまた、空気流をテキスタイル構造体中に差し向ける。傾斜面４により、液体及び空気の流れ中に含まれている洗浄エネルギーは、蓄積した汚れ及び繊維をテキスタイル構造体から除去するようより効果的に利用される。かくして、工業用テキスタイルの特性を回復させることができ、テキスタイルの動作寿命は、公知の解決策の場合よりも長くなることが可能である。さらに、洗浄エネルギーがテキスタイル中に効果的に差し向けられるので、洗浄液スプレーに低い圧力を利用することができる。低い圧力（３００ｂａｒ）を利用する洗浄ユニットは、極めて高い圧力（５００〜６００ｂａｒ）を発生させる洗浄ユニットと比較して、信頼性が高く、しかもより安価である。追加の利点は、低い圧力を有する洗浄水ジェットがテキスタイル１のヤーン２，３の構造を損傷させないことである。
【００５０】
図５は、工業用テキスタイル１の２本の隣り合う縦方向ヤーン２ａ，２ｂを示している。ＭＤ‐ヤーン２ａ，２ｂは、互いに逆方向に撚られ、それにより、ウェブ側表面Ｐ上のこれらの傾斜面４もまた、互いに異なる方向に差し向けられている。さらに、扁平な撚り縦方向ヤーンで形成された傾斜面４は、切頭円錐形のセグメント６の外面の形状を有する部分として現れ、かかる形状は、破線で示されている。
【００５１】
図６は、縦方向ヤーン２の側面図である。ＭＤ‐ヤーン２は、テキスタイルの織成力又は他の製造上の力によって、また場合によっては、ＣＭＤ‐ヤーンの強い収縮によって生じる横方向力によっても永続的に変形している。
【００５２】
図７及び図８は、２枚の工業用テキスタイル１のウェブ側表面Ｐの表面トポロジーの概略平面図である。潜在的な表面接触点及び表面領域が明るい色を用いることによって図７及び図８に示され、暗い色は、非接触領域、すなわち、表面上の空所容積部８を示している。図７から注目できることとして、接触領域は、工業用テキスタイル１の全表面の約５０％を占める。図８では、工業用ファブリック１は、約１０％の表面接触領域を有する。両方の実施形態において、接触点の数は、極めて多く、そして依然として、表面接触領域は、少ない。
【００５３】
図面及び図面と関連した明細書は、本発明の技術的思想を説明するに過ぎない。本発明の細部は、特許請求の範囲に記載された本発明の範囲内で様々であって良い。
【図１】
2019504937.tif 000003
【図２】
2019504937.tif 000004
【図３】
2019504937.tif 000005
【図４】
2019504937.tif 000006
【図５】
2019504937.tif 000007
【図６】
2019504937.tif 000008
【図７】
2019504937.tif 000009
【図８】
2019504937.tif 000010
【国際調査報告】
2019504937.tif 000011
2019504937.tif 000012
2019504937.tif 000013